(57)【要約】【課題】近年、ハードディスクドライブの振動耐力低下に伴い、スピンドルモータの自己振動で、ハードディスクドライブがシャーシ等に微衝突すると、性能低下を引き起こすようになってきている。一方、サーバでは、ハードディスクドライブを固定したバネ付きトレイをスライドさせながらシャーシに搭載することで、活栓挿抜を実現してきた。しかし、従来のトレイでは、押付圧一定のバネであるため、強力なバネを用いるほど、挿抜力を必要とした。そのため、一定以上の押付圧を有するバネで固定することが出来なかった。【解決手段】ハードディスクドライブと該ハードディスクドライブをシャーシに挿抜するためのガイド手段から成るハードディスクドライブユニットにおいて、前記ガイド手段は楕円形状の円筒バネであって、固定時に前記円筒バネを９０度回転させる。【選択図】  図１
2014067471.tif 000002
【特許請求の範囲】
【請求項１】
ハードディスクドライブと該ハードディスクドライブをシャーシに挿抜するためのガイド手段から成るハードディスクドライブユニットにおいて、前記ガイド手段は楕円形状の円筒バネであって、固定時に前記円筒バネを９０度回転させることを特徴とするハードディスクドライブユニット。
【請求項２】
前記ガイド手段は、前記円筒バネの前記ハードディスクドライブ側に内側レールを有し、又は前記円筒バネの前記シャーシ側に外側レールを有することを特徴とする請求項１記載のハードディスクドライブユニット。
【請求項３】
前記円筒バネはレバー取り付け部を有し、レバーによって前記円筒バネを回転させることを特徴とする請求項１記載のハードディスクドライブユニット。
【発明の詳細な説明】
【技術分野】
【０００１】
本発明は、ハードディスクドライブユニットに関する。
【背景技術】
【０００２】
本技術分野の背景技術として、特開２００１−５７０６６号公報（特許文献１）がある。この公報には、「筐体に加わる振動や衝撃から確実に記録ディスク駆動装置を保護することができる電子機器を提供する。」と記載されている。
【先行技術文献】
【特許文献】
【０００３】
【特許文献１】特開２００１−５７０６６
【発明の概要】
【発明が解決しようとする課題】
【０００４】
近年、ハードディスクドライブの振動耐力低下に伴い、スピンドルモータの自己振動で、ハードディスクドライブがシャーシ等に微衝突すると、性能低下を引き起こすようになってきている。一方、サーバでは、ハードディスクドライブを固定したバネ付きトレイをスライドさせながらシャーシに搭載することで、活栓挿抜を実現してきた。しかし、従来のトレイでは、押付圧一定のバネであるため、強力なバネを用いるほど、挿抜力を必要とした。そのため、一定以上の押付圧を有するバネで固定することが出来なかった。
【課題を解決するための手段】
【０００５】
ハードディスクドライブと該ハードディスクドライブをシャーシに挿抜するためのガイド手段から成るハードディスクドライブユニットにおいて、前記ガイド手段は楕円形状の円筒バネであって、固定時に前記円筒バネを９０度回転させることを特徴とする。
【発明の効果】
【０００６】
本発明を適用することで、挿抜時よりも固定時の押付圧を高くすることが可能となり、ハードディスクドライブのスピンドルモータの振動による変位量を抑えるのに必要な押付圧に設定出来る。
【図面の簡単な説明】
【０００７】
【図１】ハードディスクドライブユニットの右側斜視図である。
【図２】サーバの例である。
【図３】サーバの例の正面図である。
【図４】ハードディスクドライブユニットの正面図である。
【図５】外側レールを外したハードディスクドライブユニットの右側斜視図である。
【図６】外側レールと円筒バネを外したハードディスクドライブユニットの右側斜視図である。
【図７】ハードディスクドライブの左側斜視図である。
【図８】ハードディスクドライブユニットのレールの斜視図である。
【図９】ハードディスクドライブユニットの外側レールである。
【図１０】ハードディスクドライブユニットの外側レールと円筒バネの連結部である。
【図１１】ハードディスクドライブユニットの円筒バネである。
【図１２】ハードディスクドライブユニットの内側レールである。
【図１３】ハードディスクドライブユニットの円筒バネの正面図である。
【図１４】回転前のハードディスクドライブユニットのレールの正面図である。
【図１５】固定時のハードディスクドライブユニットのレールの正面図である。
【図１６】円筒バネ回転レバーを取付けたハードディスクドライブユニットの例である。
【図１７】円筒バネ回転レバーの上面図である。
【図１８】円筒バネ回転レバーの正面図である。
【発明を実施するための形態】
【０００８】
以下、実施例を図面を用いて説明する。
【０００９】
本実施例では、図１〜１８を用いて、ハードディスクドライブユニット８の例を説明する。
【００１０】
図１は、本実施例のハードディスクドライブユニット８の右側斜視図である。図４は、ハードディスクドライブユニット８の正面図である。図７は、ハードディスクドライブユニット８の左側斜視図である。
【００１１】
ハードディスクドライブユニット８は、ハードディスクドライブ１をサーバのシャーシ５へ円滑に挿抜するため、ハードディスクドライブ１の両サイドに、板状でスライド時のガイドの役割を有する左側レール６と、レール９を有する。
【００１２】
図８は、レール９の斜視図であり、内側レール２と円筒バネ４と外側レール３から構成されている。
【００１３】
図２は、シャーシ５にハードディスクドライブ１が搭載されるサーバの一例を示している。図３は、前記サーバの正面図である。
【００１４】
図５は、ハードディスクドライブユニット８に設けられたレール９から外側レール３を外した状態のハードディスクドライブユニット８の右側斜視図である。
【００１５】
図６は、ハードディスクドライブユニット８に設けられたレール９から外側レール３と円筒バネ４を外した状態のハードディスクドライブユニット８の右側斜視図である。
【００１６】
図９は、外側レール３を示す図であり、図１１は、円筒バネ４を示す図であり、図１２は、内側レール２を示す図であり、図１０は、外側レール３と円筒バネ４との連結部を示す図である。
【００１７】
外側レール３と円筒バネ４と内側レール２は、図１２に示す内側レール２にある円筒バネ４との連結部１２、図１０に示す円筒バネ４にある外側レール３との連結部１４、図１０に示す外側レール３にある円筒バネ４との連結部１３で連結している。
【００１８】
内側レール２の円筒バネ側の形状、外側レール３の円筒バネ側の形状を図１２及び図９に示す円弧とすることで、外側レール３に対する円筒バネ４の位置が決まり、円筒バネ４に対する内側レール２の位置が定まる。
【００１９】
また、この円筒バネ４は、図１３に示すように楕円形状であり、円筒の中央に、図１１に示すレバー取り付け部１０を有する。固定時、このレバー取付け部１０に、図１６〜１８に示すレバー７をかぶせ、９０度回転させることで、レバー取付け部１０と円筒バネ４を回転させる。
【００２０】
図１４は円筒バネ４を回転させる前のレール９の正面図であり、回転前の円筒バネ４の楕円形状の短いほうの半径線上に内側レール２と外側レール３がある状態を示している。  図１５は円筒バネ４を回転させる前のレール９の正面図であり、回転前の円筒バネ４の楕円形状の長いほうの半径線上に内側レール２と外側レール３がある状態に移行した固定時の状態を示している。内側レール２と外側レール３の距離は一定であるから、前者よりも後者のほうが、バネ変形量が大きく、押付力が大きくなる。
【００２１】
一方、この押付力が大きくなると、円筒バネ４を回転させるための力も大きくなる。そこで、レバー７の回転中心から手持ち部の距離を長くすることで、より小さい力でも円筒バネ４を回転させることが出来る。即ち、固定時のバネ圧と材料を同じとすれば、摩擦力も同じとなり、従来トレイの直動運動よりも、小さな力で挿抜出来る。このレバーの差し込み部１５の直径と円筒バネ４の短いほうの半径を一致させることで、回転方向以外の力を内側レール２と外側レール３に分散させることが出来る。
【００２２】
また、回転前後で、バネ変形量の差が大きいほど、小さなきっかけで円筒バネ４が逆回転し、戻りやすくなる課題は、９０度付近かつ９０度を超えた角度まで円筒バネ４を回転させ、それ以上の回転を防止するストッパー１１を設けることで解決出来る。
【符号の説明】
【００２３】
１  ハードディスクドライブ
２  内側レール
３  外側レール
４  円筒バネ
５  シャーシ
６  左側レール
７  レバー
８  ハードディスクドライブユニット
９  レール
１０  レバー取付け部
１１  回転を防止するストッパー
１２  内側レールにある円筒バネとの連結部
１３  外側レールにある円筒バネとの連結部
１４  円筒バネにある外側レールとの連結部
１５  レバーの差込部
【図１】
2014067471.tif 000003
【図２】
2014067471.tif 000004
【図３】
2014067471.tif 000005
【図４】
2014067471.tif 000006
【図５】
2014067471.tif 000007
【図６】
2014067471.tif 000008
【図７】
2014067471.tif 000009
【図８】
2014067471.tif 000010
【図９】
2014067471.tif 000011
【図１０】
2014067471.tif 000012
【図１１】
2014067471.tif 000013
【図１２】
2014067471.tif 000014
【図１３】
2014067471.tif 000015
【図１４】
2014067471.tif 000016
【図１５】
2014067471.tif 000017
【図１６】
2014067471.tif 000018
【図１７】
2014067471.tif 000019
【図１８】
2014067471.tif 000020